(57)【要約】【課題】本発明は、建設用重機械とか、その他の破壊手段を使用して、ブース内の現金自動取扱機に手をつけようとしたり、或いは現金自動取扱機をブースから取り出そうとしても、障害物や頑強さ故になかなか捗らず、また、もしブースごと持ち去ろうとしても容易には持ち去ることができないようにした金融店舗用構造体を提供することにある。【解決手段】内部に現金自動取扱機が設置された金融店舗用構造体であって、少なくとも該現金自動取扱機の利用者用の出入り口、及び、金属製の周壁部と天井部を備え、該内部の全ての現金自動取扱機は、いずれも該出入り口との斜め方向に位置するように配置されていることを特徴とする金融店舗用構造体とする。【選択図】図１
2007077596.tif 000002
【特許請求の範囲】
【請求項１】
内部に現金自動取扱機が設置された金融店舗用構造体であって、
少なくとも、該現金自動取扱機の利用者用の出入り口、該店舗用の出入り口及び、金属製の周壁部と天井部を備え、
該内部の全ての現金自動取扱機は、いずれの出入り口に対しても正面に設けないように配置されていること、
を特徴とする金融店舗用構造体。
【請求項２】
前記金融店舗用構造体は底面がほぼ四角形を成し、いずれの出入り口も該四角形の辺の左右いずれかに偏った位置に配置されており、
出入り口以外の面には、金属製の周壁部が設けられ、
ていることを特徴とする請求項１に記載の金融店舗用構造体。
【請求項３】
出入り口からみて斜め前の利用者に支障をきたさない位置に前記現金自動取扱機が配置され、前記現金自動取扱機の利用面の脇に脇壁が設置され、
ていることを特徴とする請求項１または２に記載の金融店舗用構造体。
【請求項４】
前記脇壁は、少なくとも棒状体か又は板状体のいずれかを用いて出来ていることを特徴とする請求項１ないし３何れか記載の金融店舗用構造体。
【請求項５】
前記脇壁には、前記現金自動取扱機の利用面の前に人間が居た場合に、該人間が居ることが脇壁を介して判る窓部又は隙間を備えていることを特徴とする請求項１乃至４のいずれかに記載の金融店舗用構造体。
【請求項６】
前記脇壁の上下の端部を、前記天井部および床部に形成した凹部に差し込んだ構造であることを特徴とする請求項１乃至５のいずれかに記載の金融店舗用構造体。
【請求項７】
内壁に可燃性内装材を貼設したことを特徴とする請求項１乃至６のいずれかに記載の金融店舗用構造体。
【請求項８】
コンクリートからなる基礎部にボルトで固定可能としたことを特徴とする請求項１乃至７のいずれかに記載の金融店舗用構造体。
【発明の詳細な説明】
【技術分野】
【０００１】
本発明は、現金自動取扱機（ＡＴＭ、等）が置いてある金融店舗、特には通常は無人で運用している無人金融店舗に関係して、建設用重機械等を用いた現金強盗を防止するような店舗構造に関するものである。
【背景技術】
【０００２】
今日、銀行の合併、店舗の統廃合に伴い、現金自動取扱機等の多様な店舗形態が必要とされてきている。スーパーやコンビニエンスストアなどの店舗の一角に単体で設置される現金自動取扱機等の増加とともに、利用者の利便性は向上してきた。また、人々の生活の変化に伴い今後さらに設置の増加が進む傾向にある。
【０００３】
しかし、地域によってコンビニエンスストアなどが少なく、店舗内への設置ができない場合も多い。こうした現金自動取扱機等のブースは、無人店舗であるがゆえに、犯罪に狙われる可能性が高いといった問題があげられる。
【０００４】
近年、建設用重機械を窃取し、これを利用して金融機関の店舗外現金自動取扱機（現金自動取扱機）ブースを破壊して現金自動取扱機ごと持ち去るなど、収納現金を強盗する事件が多発している。警備員や警察が到着する前にブースは破壊されてしまい、多額の被害が発生しているのが現状である。
【０００５】
さらに、耐用年数を越える等して、老朽化した現金自動取扱機ブースが各地に数多くあり、安全性や金融機関のイメージの低下が懸念されたりもしている。
【０００６】
従来の防犯対策では、防犯カメラや通報装置を備え付け、更なる防犯強化のために現金自動取扱機の金庫を保護するような防犯装置を設けることによって、破壊への時間が掛かるような対策がとられている。例えば、特許文献１においては、現金自動取扱機の金庫をプロテクターとガードレールで保護し、破壊に時間が掛かるようにすると共に、現金自動取扱機の設置されたブースの扉を閉めたままでは、金庫を保護しているプロテクターを移動することができない構造にしたものである。
【０００７】
特許文献は以下の通りである。
【特許文献１】特開２０００−３５２２７０号公報
【発明の開示】
【発明が解決しようとする課題】
【０００８】
しかし、犯行に建設用重機械を用いられた場合、その威力によって保護部材は容易に破壊されてしまう可能性が高い。
【０００９】
現金自動取扱機等の設置場所においては、警備員や警察官の到着に時間が掛かってしまうこともあり、犯罪を阻止することが難しいこともある。さらに、従来の店舗構造は、出入り口のドアのみならず、側壁の一部までが硝子仕様になっている場合が多い。防犯上、ブースの中にいる利用者が外から伺うことができたほうが良いのだが、それがかえって構造的に弱点となってしまう場合があり、建設用重機械によって簡単に破壊されてしまっていた。
【００１０】
このように、建設用重機械等を使用して現金自動取扱機ブースを破壊するという強盗目
的の事件への防犯対策の強化が求められている。
【００１１】
そこで本発明は、現金自動取扱機を破壊するか又はいったん強奪するべく、建設用重機械とか、その他の破壊手段を使用して、ブース内の現金自動取扱機に手をつけようとしたり、或いは現金自動取扱機をブースから取り出そうとしても、本発明に関わる障害物や頑強さ故になかなか捗らず、また、もしブースごと持ち去ろうとしても容易には持ち去ることができないようにした金融店舗用構造体（土地に固定してあるか否かは不問）、特には通常は無人で運用するような金融店舗用構造体を提供することを目的とする。
【課題を解決するための手段】
【００１２】
本発明に於いて上記目的を達成するために、まず請求項１の発明は、内部に現金自動取扱機が設置された金融店舗用構造体であって、少なくとも、該現金自動取扱機の利用者用の出入り口、該店舗用の出入り口及び、金属製の周壁部と天井部を備え、
該内部の全ての現金自動取扱機は、いずれの出入り口に対しても正面に設けないように配置されていること、
を特徴とする金融店舗用構造体である。
【００１３】
このような構成によれば、従来の現金自動取扱機の構造体に比べると、建設用重機械を用いた場合による周壁部や天井部からの破壊行為を困難にすることができる。従って、建設用重機械に狙われる可能性のある場所は出入り口に絞られる。しかしながら、内部の全ての現金自動取扱機は、いずれの出入り口の正面にも設けないように配置されているので、現金自動取扱機の位置の視認が困難になるとともに、その現金自動取扱機に向けて建設用重機械を支障なく侵入させることが困難になる。また、少なくとも周壁部と天井部が金属で構成されていることから、自重の大きい構造物にすることができる。
【００１４】
尚、本発明によると、金融店舗用構造体は、頑強で且つ建設用重機械のアーム等が現金自動取扱機に向かって侵入を試み易そうな広く真っ直ぐなルートが無い又は非常に少ない。
【００１５】
この為、仮にパワーの大きい（普通は大型の）建設用重機械の使用を試みてもアーム等が大きすぎるとか、アームの先のヘッドの角度が必ずしも思い通りに変わり難い（一般に位置も変えながらでなければ角度を変えられず狭いスペース内では角度を変え難い）等々の理由から、ヘッドが現金自動取扱機まで届き難く（破壊に至れない）、またヘッドを届かせるべく先に金融店舗用構造体の破壊を試みてもこれが頑強な為になかなか破壊し難く、結局はこういった不法な作業に時間が掛かりすぎて、そうなると現場に警備員等が駆けつけて不法行為を制することに繋がる。また、パワーが小さい（普通は小型の）建設用重機械で上記の不法作業を試みてもパワー不足の為にいずれにしても破壊までには至り難く、やはり不法な作業に時間が掛かってしまい、そのうちに警備員等が現場に駆けつけてこられることになる。また、これらは窃盗の防止や予防にも効果的となる。
【００１６】
また、請求項２記載の発明は、前記金融店舗用構造体は底面がほぼ四角形を成し、いずれの出入り口も該四角形の辺の左右いずれかに偏った位置に配置されており、
出入り口以外の面には、金属製の周壁部が設けられ、
ていることを特徴とする請求項１に記載の金融店舗用構造体であることを特徴とする。
【００１７】
このような構成によれば、従来の建設用重機械に狙われる可能性のある場所として利用者用の出入り口を備えた正面壁部以外に店舗用の出入り口を備えた場合であっても、その両方が内部の全ての現金自動取扱機は、いずれの出入り口の正面にも設けないように配置されているので、現金自動取扱機の位置の視認が困難になるとともに、その現金自動取扱機に向けて建設用重機械を支障なく侵入させることが困難になる。また、少なくとも周壁
部と天井部が金属で構成されていることから、自重の大きい構造物にすることができる。
【００１８】
また、請求項３記載の発明は、出入り口からみて斜め前の利用者に支障をきたさない位置に前記現金自動取扱機が配置され、前記現金自動取扱機の利用面の脇に脇壁が設置され、
ていることを特徴とする請求項１または２に記載の金融店舗用構造体を特徴とする。
【００１９】
このような構成によれば、建設用重機械等による現金自動取扱機への側方からのアプローチを困難にするだけでなく、脇壁との組み合わせによって出入り口からの建設用重機械等の侵入範囲をさらに狭めることができる。
【００２０】
また、請求項４記載の発明は、請求項１又は２のいずれかに記載の発明において、前記脇壁は、少なくとも棒状体か又は板状体のいずれかを用いて出来ていることを特徴とする。
【００２１】
このような構成によれば、個々の重さや大きさの面から比較的取り扱い易く、製作が便利且つ容易になる。つまり、棒状体とか又は板状体は、個々の重さや大きさ（それほど重くも大きくもない）の面から比較的取り扱い易いので、本発明の防護仕切りを作製するのに便利である。また、これらはより頑強な構造にするべく凹部に差し込むとか固定する等してよい。特に凹部に差し込んで且つ溶接で固定した場合はかなりの頑強さを達成し易い。
【００２２】
また、請求項５記載の発明は、請求項１乃至４のいずれかに記載の発明において、前記脇壁には、前記現金自動取扱機の利用面の前に人間が居た場合に、該人間が居ることが脇壁を介して判る窓部又は隙間を備えていることを特徴とする。
【００２３】
このような構成によれば、脇壁に窓部か又は隙間があることから、もし現金自動取扱機の利用面の前に人間が居れば判る為に、前記のような破壊や窃盗の不法行為を思い留まらせたり、また、もし金融店舗用構造体の中で現金自動取扱機に破壊等の不法な行為を行うことも思い留まらせたりすることに繋がる。
【００２４】
また、請求項６記載の発明は、請求項１乃至５いずれかに記載の発明において、前記脇壁の上下の端部を、前記天井部および床部に形成した凹部に差し込んだ構造であることを特徴とする。
【００２５】
このような構成によれば、脇壁が外部から衝撃を受けたときであっても、脇壁の上下の端部が凹部の壁面で支えられるので、例えば脇壁の端面を床部の表面に接合しただけの構造に比べ、万が一外力によって接合が外れてしまった場合に脇壁がたやすく移動してしまうことを防ぐことができる。つまり、本発明の脇壁に用いる棒状体とか又は板状体は、個々の重さや大きさ（それほど重くも大きくもない）の面から比較的取り扱い易いので、金融店舗用構造体の骨組み部又は枠部の凹部に差し込むことが可能である。凹部に固定しても、又は固定しなくてもよいが、より頑強な構造にするべく例えば固定する等してよい。特に溶接で固定した場合は相当に高い頑強さを得易い。
【００２６】
また、請求項７記載の発明は、請求項１乃至６のいずれかに記載の発明において、内壁に可燃性内装材を貼設したことを特徴とする。
【００２７】
このような構成によれば、ハンディタイプの溶接機やレーザ切断機等によって周壁部や天井部を切断された場合には、可燃性内装材の焼損による煙が発生するので、煙を遠方より目撃した者による通報や、火災報知器を金融店舗用構造体内に設置している場合には、
火災報知器による通報が可能となる。
【００２８】
また、請求項８記載の発明は、請求項１乃至７のいずれかに記載の発明において、コンクリートからなる基礎部にボルトで固定可能としたことを特徴とする。
【００２９】
このような構成によれば、衝撃を受けて基礎部から離れた金融店舗用構造体は、受けた衝撃力に対し後退する方向へ動く。これにより、局部に集中して力を受けることを防ぎ、衝撃を受けた部分への損傷を緩和させることができる。
【発明の効果】
【００３０】
請求項１記載の発明によれば、金融店舗用構造体の周壁部および天井部等の剛性、強度が向上し、外部からの衝撃に強くなるので破壊に時間が掛かり、また、出入り口から、現金自動取扱機に向けて建設用重機械を支障なく侵入させることのできる方向を定めるまでの位置決めに時間が掛かるようになるので、警備員および警察の到着までの時間を稼ぐことができる。さらに、建設用重機械等の侵入箇所を出入り口に限定することができるので防犯対策をとりやすい。また、用いられる建設用重機械の大きさに関わらず、不法行為の継続が困難となり、犯行を断念させることができる。
【００３１】
また、自重がかなり大きいため、例えばｕｎｉｃ車の如き車両に搭載されているクレーン等ではなかなか持ち上げることはできず、この構造体ごと持ち去られる心配も相当少ない。
【００３２】
請求項２記載の発明によれば、本願を実施するための具体的構造を提案することが可能になる。
【００３３】
請求項３記載の発明によれば、建設用重機械等による現金自動取扱機への側方からのアプローチを困難にするだけでなく、脇壁との組み合わせによって出入り口からの建設用重機械等の侵入範囲をさらに狭めることができるので、建設用重機械等の侵入がより一層困難になり、警備員や警察が到着するまでの時間をさらに稼ぐことが可能になる。
【００３４】
請求項４記載の発明によれば、個々の重さや大きさの面から比較的取り扱い易く、製作が便利且つ容易になるので、作業効率が向上する。
【００３５】
また、請求項５記載の発明によれば、金融店舗用構造体の中の様子が外から判るので、防犯性を高めることができる。
【００３６】
請求項６記載の発明によれば、例えば凹部に固定した場合には、脇壁が外部から衝撃を受けたときであっても脇壁の上下の端部が凹部の壁面でしっかり支えられる為に、脇壁が移動して前記建設用重機械のアームやヘッドが侵入できる隙間を作ってしまう事態を防ぐことができるので、破壊の完遂に時間が掛かり、警備員とか警察が到着するまでの時間を稼ぐことができる。また、さらに溶接により固定することによって、より頑強さが増すため、破壊の完遂に要する時間をさらに稼ぐことができる。
【００３７】
請求項７記載の発明によれば、例えば溶接でも使用されるバーナーやレーザ切断機等を利用することによる周壁部や天井部の切断破壊に対しても、可燃性内装材から炎や煙が発生してしまうので、第三者による通報、或いは火災の煙や熱等の報知器を設置した場合には、報知機による自動通報が可能となる。さらに警報装置と併用することで、より確実な通報が可能となる。
【００３８】
請求項８記載の発明によれば、外部からボルトの許容応力以上の衝撃が加えられると、
ボルトが破断して金融店舗用構造体が基礎部から離れるので、その後は衝撃を加えられても力が逃げてしまう為に、破壊を困難にすることができる。さらに、設置作業が容易なので、作業の単純化、さらに作業時間の短縮化を図ることができる。
【発明を実施するための最良の形態】
【００３９】
以下、本発明の実施の形態について、図面を参照して説明する。
【００４０】
図１と図２は、本発明に係る金融店舗用構造体の第１の実施の形態を示す図である。
【００４１】
金融店舗用構造体１は、周壁部３と、天井部４と、床部１４を備え、例えば貨物用のコンテナの如く組立てられている。すなわち、金融店舗用構造体１は、角柱２５を四つ角に備え、これら角柱２５の上下の端部同士を横架材を介して繋いで骨組を構成し、その骨組間に出入り口７を除いて右側壁面部３ａを、その骨組間に出入り口６７を除いて左側壁面部３ｂを組み付け、正面壁部３ｃ、周壁部３、天井部４、底部２４を組み付け、背面壁部３ｄ、周壁部３、天井部４、底部２４を組み付けて周壁部３とし、骨組構造の上下面には、天井部４と底部１４を組み付けてなる。但し、この正面壁部３ｃには窓６８を設けている。
また、現金自動取扱機の側に前記脇壁が設けられている。
【００４２】
前記右側壁面部３ａ、左側壁面部３ｂ、正面壁部３ｃおよび背面壁部３ｄは、それぞれ複数の支柱３８とパネル３９（但し、正面壁部３ｃには窓６８付き）とから構成されている。詳しくは、前記支柱３８を角柱２５と平行にして、互いに適宜間隔をおいて周方向に配列させ、両端部を骨組に固定している。そして固定された各支柱３８の隙間には金属製のパネル３９が嵌め込まれている。さらにこれら各部材同士の連結部分は溶接により固定されている。
【００４３】
そして前記左側壁面部３ｂには、上部障壁２０と、出入り口７とが設けられている。さらに底部２４には、金融店舗用構造体１を基礎部１２に設置するためのボルト穴２７が複数穿設されている。
【００４４】
前記左側壁面部３ｂの上方部位には、上部障壁２０を骨組に組み付けて位置させ、さらにその右下方には上部障壁２０が設けられている。前記上部障壁２０は、鉄鋼等の金属製よりなり、後述するように、建設用重機械２１による衝撃にも耐えることのできるような厚みをもたせて、長板状に形成してなる。
【００４５】
前記脇壁１０は、パネル構造の他に、一部を複数の金属製棒状体５を互いに間隔をおいて一列に配置してなる構成も可能である。これによって窓に代わって内部を確認することができる。
【００４６】
この場合、金属製棒状体５を設ける領域の両端に、隅とは別の角柱を設ける必要がある。例えば、左側壁面部３ｂの中央にも角柱２５を設け、正面壁部３ｃと接続している角柱２５側に設けた出入り口７までの左側壁面部３ｂに、複数の金属製棒状体５を互いに間隔をおいて一列に配置してなる。金融店舗用構造体１へ取付ける際には、脇壁１０を垂直に起立させて、底部２４と上部障壁２０に設けられた凹部２に差し込んで固定する。ここで、金属製棒状体５は中実角柱に形成されており、鉄鋼よりなる。また、各金属製棒状体５の隙間には硝子２９が嵌め込まれている。
【００４７】
同様に、前記右側壁面部３ａの上方部位には、上部障壁２０を骨組に組み付けて位置させ、さらにその右下方には上部障壁２０が設けられている。前記上部障壁２０は、鉄鋼等の金属製よりなり、後述するように、建設用重機械２１による衝撃にも耐えることのでき
るような厚みをもたせて、長板状に形成してなる。
【００４８】
前記脇壁１０は、この他に一部を複数の金属製棒状体５を互いに間隔をおいて一列に配置してなる構成も可能である。これによって窓に代わって内部を確認することができる。
【００４９】
この場合、金属製棒状体５を設ける領域の両端に、隅とは別の角柱を設ける必要がある。例えば、右側壁面部３ａの中央にも角柱２５を設け、正面壁部３ｃと接続している角柱２５側に設けた出入り口６７までの左側壁面部３ｂに、複数の金属製棒状体５を互いに間隔をおいて一列に配置してなる。金融店舗用構造体１へ取付ける際には、例えば脇壁１０を垂直に起立させて、上述したように、底部２４と上部障壁２０に設けられた凹部２に差し込んで固定する。ここで、金属製棒状体５は中実角柱に形成されており、鉄鋼よりなる。また、各金属製棒状体５の隙間には硝子２９が嵌め込まれている。
【００５０】
図１および図３に示すように、前記金融店舗用構造体１の内部の中央付近には、正面壁部８と平行した状態で、床上から天井までの一面を覆うように仕切り板３４が設けられており、仕切り板３４と連なって、例えばスチール製の扉３５が設けられている。そして、前記仕切り板３４の前面には現金自動取扱機９が備え付けられるようになっている。このとき現金自動取扱機９は、出入り口７から左斜め前方に位置する。また、このとき現金自動取扱機９の裏面も出入り口６７からは左斜め前方に位置する。さらに、前記現金自動取扱機９の横には、脇壁１０が設けられている。
【００５１】
前記脇壁１０は、剛性金属製よりなり、その厚みは建設用重機械２１による衝撃にも耐えることのできる厚さに形成されている。そして、脇壁１０は、例えば図２に示すように略長方形状をなし、その高さｈは、現金自動取扱機の上面９ｂよりも上方に突出し、幅ｗは、前面９ｃよりも前方に突出するような寸法に設定されており、現金自動取扱機９の出入り口側の側面９ａを全て覆っている。
【００５２】
そして、この側面９ａに沿う脇壁１０の延長線上には、正面壁部３ｃ位置している。つまり、脇壁１０は図１に示すように、建設用重機械２１のヘッド２１ａの侵入を防ぎ、かつ利用者に支障をきたさない様に設置される。
【００５３】
なお、出入り口６７側には脇壁１０が設けないが、利用者用の出入り口ではないために狭い出入り口で十分であり、これだけで建設用重機械２１のヘッド２１ａの侵入を防ぎ、かつ利用者に支障をきたさない間隔とする。
【００５４】
図３は、金融店舗用構造体１の設置構造を示す断面図である。図に示すように、金融店舗用構造体１が設置される基礎部１２はコンクリートからなり、この基礎部１２にはアンカーボルト（ボルト）１３がそのネジ部１３ａを表面から突出させた状態で埋設されている。金融店舗用構造体１は、底部２４に穿設したボルト穴２７にアンカーボルト（ボルト）１３を通してナット２３で締結することにより、基礎部１２に固定されている。このように、基礎部１２への固定をあえて頑丈にしないことにより、ある強度以上の外力が加えられたとき、接続部分であるアンカーボルト（ボルト）１３が破断して、局部に集中して力を受けることを防ぐことができる。なお、床部１４は、底部２４を基礎部１２へ固定した後、底部２４の上方に水平に取付けられる。
【００５５】
図１〜図３に示すように、金融店舗用構造体１の内装壁には可燃性内装材１１が貼設されており、さらにその上にはビニールクロス３０が貼られている。
【００５６】
天井部４には、脇壁１０の長さ方向に沿って上昇（開方向）および下降（閉方向）し、全閉状態で現金自動取扱機９の前方に位置するシャッター３２が設けられている。さらに
、前記天井部４には、警報装置と火災報知器とが設けられている。
【００５７】
このような構造の金融店舗用構造体１においては、周壁部３および天井部４が頑強な剛性金属で形成されているため、建設用重機械２１による金融店舗用構造体１の破壊は、まず、出入り口７から狙われると予想される。出入り口７の一部分は硝子製であるため、内部の現金自動取扱機９の位置を外部から確認することができる反面、金属製の周壁部３や天井部４に比べると脆く、簡単に破壊されてしまう恐れがあるからである。
【００５８】
しかし、出入り口７に対して前方斜め右方向（略対角線上）に現金自動取扱機９が設置されているので、出入り口７からその方向に建設用重機械２１のヘッド２１ａを侵入させようとした場合、脇壁１０とパネルもしくは左側壁面部３ｂが障害となり、侵入は困難となる。建設用重機械２１を位置決めし直し、再度、侵入角度を変えて試みたとしても、アーム２１ｂの側部が正面壁部８を支える角柱２５にぶつかってしまい、侵入は困難となる。従って、まず侵入角度やアプローチポイントを定めるまでに時間が掛かることになる為に、少なくとも短時間での破壊の完遂は困難となる。障害物１００は、配置個所は脇壁１０と異なるが柱状の構造か又は脇壁１０と同様の構造で良い。
【００５９】
そして、図１又は図２に示すように、前記脇壁１０の幅ｗを現金自動取扱機９の出入り口側の側面９ａの横幅より長く形成しているので、障害物１００又は左側壁面部３ｂとの組み合わせによって出入り口７からの建設用重機械２１等の侵入範囲がさらに狭まり、現金自動取扱機９に到達することはより困難となっている。
【００６０】
さらに、金融店舗用構造体１の出入り口７の上方に障壁２０を設置しているので、侵入しようとする建設用重機械２１のアーム２１ｂ等が、障壁２０とも干渉することになり、内部への侵入はより一層困難になっている。なお、障壁２０は、左側壁面部３ｂの上部に設置しているので、利用者への支障はなく、看板等の取付けも可能である。
【００６１】
以上説明したように、本実施形態の金融店舗用構造体１は、頑強で且つ建設用重機械２１のアーム２１ｂ等が、現金自動取扱機９に向かって侵入を試み易そうな広く真っ直ぐなルートが無い又は非常に少ない為、仮にパワーの大きい（普通は大型の）建設用重機械２１の使用を試みてもアーム２１ｂ等が大きすぎるとか、ヘッド２１ａの向きが必ずしも思い通りに変わり難い等々の理由から、ヘッド２１ａが現金自動取扱機９まで届き難く（破壊に至れない）、またヘッド２１ａを届かせるべく先に金融店舗用構造体１の破壊を試みてもこれが頑強な為になかなか破壊し難く、結局はこういった不法な作業に時間が掛かりすぎて、そうなると現場に警備員等が駆けつけて不法行為を制することに繋がる。また、パワーが小さい（普通は小型の）建設用重機械２１で上記の不法作業を試みてもパワー不足の為にいずれにしても破壊までには至り難く、やはり不法な作業に時間が掛かってしまい、そのうちに警備員等が現場に駆けつけてこられることになる。また、これらは窃盗の防止や予防にも効果的となる。
【００６２】
このように、出入り口７を破壊されて警報装置が作動してから、現金自動取扱機９を破壊して内部の現金を持ち去るまでの時間、或いは現金自動取扱機９をそのまま持ち去るまでの時間が従来よりも掛かるので、警備会社および警察へ通報されてから警備員および警察が到着するまでの時間を稼ぐことができる。よって、建設用重機械２１等を使用した強盗目的の事件に対する防犯対策を強化することができる。
【００６３】
さらに、本実施形態の金融店舗用構造体１によれば、例えば溶接でも用いられるバーナーやレーザ切断機等で周壁部３を切断された場合であっても、金融店舗用構造体１の内装には可燃性内装材１１が貼設されているので、金属を切断するときの熱により、可燃性内装材１１が燃焼し煙を生じさせて、火災報知器による警備会社および警察への通報も可能
である。このように、警報装置による通報だけでなく、火災報知器による通報をも備えることによって、より迅速で確実な通報が可能となる。
【００６４】
金属製棒状体５は、個々の重さや大きさ（それほど重くもない）の面から比較的取り扱い易いので、本発明の脇壁１０を作製するのに便利となる。また、脇壁１０の端部を溝に差し込んで溶接により固定させることで、より頑強に備えることができる。その上、窓もしくは各金属製棒状体５の隙間を介して、金融店舗用構造体１の中の様子を外から伺うことができるので、不法な行為を思い留まらせることにも有効となる。
【００６５】
また、仕切り板３４を設けることによって、金融店舗用構造体１の内部を利用スペース４０とメンテナンス室４１とに分けて利用することができるので、金融関係者は、メンテナンス室４１で作業を行え、外部から覗き見られる心配はなくなり、防犯性を高めることができる。
【００６６】
さらに、金融店舗用構造体１の各部材は、溶接によって固定されているため、接続部品が不要となり、組立作業が容易になるうえ、全体の構成が組立式になるので、建設作業が容易かつ移転、追加がし易く、設備のコスト削減を図ることができる。
【００６７】
以上に述べた金融店舗用構造体１は、基礎部１２に設置されるものとしたが、店舗等の一角に設けられるブースのようなものも含まれる。
【図面の簡単な説明】
【００６８】
【図１】本発明における実施形態の金融店舗用構造体を示す平面図である。
【図２】本発明における実施形態の金融店舗用構造体を示す側面図である。
【図３】本発明における実施形態の金融店舗用構造体の設置構造を示す断面図である。
【符号の説明】
【００６９】
１  金融店舗用構造体
２  凹部
３  周壁部
４  天井部
５  金属製棒状体
７  出入り口
８  正面壁部
９  現金自動取扱機
１０  脇壁
１１  可燃性内装材
１２  基礎部
１３  アンカーボルト（ボルト）
１４  床部
９ａ  出入り口側の側面
６７  出入り口
【図１】
2007077596.tif 000003
【図２】
2007077596.tif 000004
【図３】
2007077596.tif 000005